(57)【特許請求の範囲】
【請求項１】
ランダム行アクセス式のイメージャのための黒ライン挿入システムであって、
複数の水平ラインがメモリへ書き込まれる速度よりも所定の比率で速い速度で上記複数の水平ラインを出力信号として上記メモリから読み出すことにより、
比例した時間エンハンスメントが達成される加速ラインメモリと、変更された出力信号を与えるために上記加速ラインメモリの比例した時間エンハンスメント中に上記出力信号に黒いラインを挿入する手段と、
上記変更された出力信号を用いて及び上記イメージャのランダム行アクセスを用いて出力画像を提示する手段であって、上記出力画像は前記黒いラインを有する、手段と、
を有するシステム。
【請求項２】
上記挿入手段はマルチプレクサを用いて黒ライン入力信号（ＢＬＡＣＫ）と出力信号とを多重化し、上記マルチプレクサ及び加速ラインメモリは比例した時間エンハンスメント中に黒ラインを挿入するようプログラムされたコントローラによって制御される、請求項１記載のシステム。
【請求項３】
上記提示手段は、liquid crystal on silicon（ＬＣＯＳ）、プラズマ、マイクロミラー、液晶ディスプレイ、透過型液晶ディスプレイ投写を含むイメージャの群から選択される、請求項１記載のシステム。
【請求項４】
上記出力画像を提示する手段は、上記イメージャの上部に黒ラインを挿入することにより上方の黒いオビを形成し、次に上記イメージャの下部に黒ラインを挿入することにより下方の黒いオビを形成する、請求項１記載のシステム。
【請求項５】
上記出力画像を提示する手段は、上記イメージャの上部に黒ラインを挿入すること及び上記イメージャの下部に黒ラインを挿入することを交互に行うことにより、上方の黒いオビ及び下方の黒いオビを形成する、請求項１記載のシステム。
【発明の詳細な説明】
【０００１】
【発明の属する技術分野】
本発明は概して投写型テレビ受像機及びディスプレイの分野に係り、特に例えばliquid crystal on silicon（ＬＣＯＳ）イメージャといったランダム行アクセス（random row access）式の投写型テレビ受像機及びディスプレイに関する。
【０００２】
【従来の技術】
例えばＬＣＯＳイメージャといった液晶イメージャは、与えられる適用に必要な行よりも多くの行を有する場合が多い。特に通常白のＬＣＯＳイメージャといった液晶イメージャは、使用された画素は単純に黒又は空のままとされることはできず、可能な限り最も黒い黒レベルとされねばならないという性質を有する。イメージャの質の低下を防ぐために、これらの不必要な行を黒レベルで書き込み、所望の行をビデオで書き込むことが必要である。これは、アスペクト比が４：３のイメージャを用いて、１６：９のワイドスクリーンのアスペクト比を有するピクチャを表示するときに必要となりうる。
【０００３】
通常は、黒い行の挿入は、ピクチャの上部で必要とされる全ての黒い行を書き込み、次に所望のビデオ行を書き込み、次にピクチャの下部に更なる黒い行を書き込むことによって行われる。所望の行は、このように、フォーマット回路によって処理された入来する信号から形成されるのにかかった時間よりも短い時間で書き込まれる。結果として、黒い行を書くのに十分な時間を与えるべく、所望の信号を加速させるために少なくとも部分的なフィールドメモリが使用されねばならない。
【０００４】
【発明が解決しようとする課題】
メモリ要件及び帯域幅を減少させ、それにより回路が簡単化され費用が低下されうるビデオディスプレイシステムを開発することが常に要請されている。
【０００５】
【課題を解決するための手段】
本発明によれば、ＬＣＯＳイメージャの余分な行は黒で書き込まれることが可能であり、これはランダム行アクセス式のイメージャを用い、行メモリにより所望の画像行の書き込みを加速させ、残る時間を黒い行を書き込むために使用することによって行われる。行は、１つ、２つ、３つおき等に黒い行を書き込むことによって書き込まれうる。本発明は、不必要に大きいメモリを使用することなく、黒レベルにあるイメージャの使用されてない行と、各フィールドを表示するために必要な同じ時間間隔中のイメージャのアクティブな行とを配置することを可能とする。
【０００６】
本発明の第１の面では、ランダム行アクセス式のイメージャのための黒ライン挿入システムは、複数の水平ラインがメモリへ書き込まれる速度よりも所定の比率で速い速度で複数の水平ラインをメモリから読み出すことにより、比例した時間エンハンスメント（以下詳述）が達成される加速ラインメモリと、変更された出力信号を与えるために加速ラインメモリの比例した時間エンハンスメント中に出力信号に黒いラインを挿入する手段とを含む。システムは、変更された出力信号を提示する手段を含みうる。
【０００７】
本発明の第２の面では、縦が長すぎるイメージャに合うよう入力ビデオ信号を変更する方法は、変更された出力信号の水平周波数を所定の比率で増加させる段階と、変更された出力信号を与えるために、出力信号と黒ライン入力信号とを多重化し、所定の比率は多重化された黒ライン入力信号の定期性を決定する段階と、変更された出力信号を縦が長すぎるイメージャ上に提示する段階とを含む。
【０００８】
本発明の第３の面では、縦が長すぎるイメージャを調整するために入力ビデオ信号を変更する方法は、複数の水平ラインがメモリへ書き込まれる速度よりも所定の比率で速い速度で複数の水平ラインをメモリから読み出すことにより比例した時間エンハンスメントを達成する段階と、変更された出力信号を与えるために比例した時間エンハンスメントの少なくとも一部の間に黒いラインを出力信号と多重化する段階とを含む。方法は更に、変更された出力信号を縦が長すぎるイメージャ上に提示する段階を含みうる。
【０００９】
本発明の第４の面では、ランダム行アクセス式の縦が長すぎるイメージャのための黒ライン挿入方法は、所定数の入力ビデオラインをメモリへ定期的に書き込む段階と、時間エンハンスメントを与えるためにメモリからの所定数の入力ビデオラインの読み出しを加速する段階と、出力画像を与えるために時間エンハンスメント中に黒入力ラインを加速された所定数の入力ビデオラインと多重化する段階とを含む。この実施例による方法は更に、出力画像を縦が長すぎるイメージャ上に提示する段階を含みうる。
【００１０】
【発明の実施の形態】
図１に示すビデオ表示システム１０を参照するに、入力ビデオは加速ラインメモリ１２に書き込まれる。加速係数が１．５であり、入力が例えば水平走査周波数ｆＨを有する場合、出力ラインは、例えば１／１．５ｆＨの期間を有する。ラインの３分の２（２／３）が書き込まれた後、マルチプレクサ１４への第１の入力としてラインメモリの読み出しが開始する。マルチプレクサは表示されるべきラインメモリの読み出し出力を選択する。マルチプレクサは、第２の入力として黒画素レベルを有する。コントローラ１８は、ディスプレイ又はイメージャのうちの、ラインが書き込まれるべき正しい行を選択する。上述のように、（ラインメモリから読み出す）読み出し速度は、（ラインメモリへの）書き込み速度よりも速い。
【００１１】
このようにして、１．５の加速係数が使用されるときはライン期間の３分の４を使用して、２つのラインを読み出し又は表示した後、コントローラは黒い行を書き込むようディスプレイに命令する。この黒い行は、入力ライン期間の他の３分の２（２／３）に亘って表示される。このサイクルは繰り返され、書き込まれるラインのうちの最大で３分の１がピクチャの上部及び下部における黒い挿入ラインであることを可能とする。
【００１２】
図２中のタイミング図は、シーケンスを示す。ライン１がラインメモリに書き込まれると、イメージャの行１に第１の黒いラインが与えられる。画像ライン１及び２は、夫々が入力ライン期間の２／３に入るようイメージャに与えられる。３つの画像ライン（２つの画像ライン及び１つの黒いライン）は、さもなければラインメモリに２つの画像ラインが書き込まれるであろう時間中に、イメージャの３つの行へ与えられる。同様に、第２の黒ラインと画像ライン３及び４とは、メモリに２つのラインを書き込むのに必要とされるのと同じ時間中に画像へ与えられる。サイクルは、イメージャがピクチャデータ及び黒い線で完全にロードされるまで繰り返される。
【００１３】
或いは、上方の黒いオビを完全に埋めてから下方の黒いオビを埋めるのではなく、イメージャの上方と下方に交互に黒い行を書き込むことが可能である。本発明については、黒いラインは全てが上部、又は全てが下部、又はランダム行アクセスイメージャを用いて要求に応じて下部と上部とに分けられた部分へ挿入されうると考えられるべきである。
【００１４】
図３を参照するに、縦が長すぎる（高さが高すぎる）イメージャに合うよう入力ビデオ信号を変更する方法３００のフローチャートが示されている。方法３００は、所定の比率で出力信号の水平周波数を増加させる段階３０２と、変更された出力信号を与えるために、出力信号と黒ライン入力信号とを定期的に多重化させる段階３０４とを含むことが望ましく、所定の比率は多重化された黒ライン入力信号の定期性を決める。方法は、更に、縦が長すぎるイメージャ上に変更された出力信号を提示する段階３０６を含む。
【００１５】
図４を参照するに、縦が長すぎるイメージャに合うよう入力ビデオ信号を変更する方法４００のフローチャートが示される。方法４００は、複数の水平ラインがメモリへ書き込まれる速度よりも所定の比率で速い速度でメモリから複数の水平ラインを出力信号として読み出す段階４０２を含むことが望ましく、それにより比例した時間エンハンスメントが達成される。時間エンハンスメントは図２から明らかであるように、入力において最初の２つのラインによって占められる時間に対する出力において最初の２つのラインによって占められる時間を短くすることによって達成される。ステップ４０４において、変更された出力信号を与えるために、比例した時間エンハンスメントの少なくとも一部に亘って、黒ライン入力信号と出力信号とは定期的に多重化される。所定の比率は例えば３対２であり、また縦が長すぎるイメージャの水平線の全数のうちの最大で３分の１は黒い線で満たされうる。ステップ４０６において、変更された出力信号は縦が長すぎるイメージャ上に提示又は表示されうる。
【００１６】
図５を参照するに、ランダム行アクセス式の縦が長すぎるイメージャのための黒ライン挿入の更なる他の方法５００のフローチャートが示される。方法５００は、所定数の入力ビデオラインをメモリに定期的に書き込む段階５０２と、時間エンハンスメントを与えるために、メモリからの所定数の入力ビデオラインの読み出しを加速する段階５０４とを含む。方法は更に、出力画像を与えるために、時間エンハンスメント中に、黒入力ラインと、加速された所定の数の入力ビデオラインとを多重化させる段階５０６を含む。望ましくは、加速段階は、縦が長すぎるイメージャ中のラインの数に反比例する出力ライン期間を生じさせる加速係数を含む。最後に、方法は、ラインを正しい垂直位置に配置するために、縦が長すぎるイメージャ上に、イメージャのランダム行アクセスを用いて出力画像を提示する段階５０８を含みうる。
【００１７】
本発明について、本願に開示される実施例を用いて説明したが、上述の説明は例示のためであって、本発明の範囲を請求の範囲のように制限するものではないと理解されるべきである。
【図面の簡単な説明】
【図１】本発明の装置によるビデオ処理回路を示すブロック図である。
【図２】本発明の装置及び図１のブロック図の動作を説明するために用いられるタイミング図である。
【図３】本発明による方法を示すフローチャートである。
【図４】本発明による他の方法を示すフローチャートである。
【図５】本発明による他の方法を示す図である。
【符号の説明】
１２    加速ラインメモリ
１４    マルチプレクサ
１６    ＬＣＯＳイメージャ
１８    コントローラ
【図１】
0004170018.tif 000002
【図２】
0004170018.tif 000003
【図３】
0004170018.tif 000004
【図４】
0004170018.tif 000005
【図５】
0004170018.tif 000006